(57)【要約】      （修正有）【課題】温度検出対象に対応した位置に１又は複数の温度検出手段を配置した場合に比較して、温度検出対象の温度検出精度を向上させる画像形成装置を提供する。【解決手段】画像形成装置本体の内部に配列された温度を検出する対象となる複数の作像装置１０Ｙ，１０Ｍ，１０Ｃ，１０Ｋを備える。また、画像形成装置本体の内部には、作像装置１０Ｙ，１０Ｍ，１０Ｃ，１０Ｋを通過する空気流を形成する吸気ファン８１等を備えた送風装置８０が配置される。そして、作像装置１０Ｙ，１０Ｍ，１０Ｃ，１０Ｋの温度を、送風装置８０によって形成される空気流が通過する位置であって作像装置１０Ｙ，１０Ｍ，１０Ｃ，１０Ｋの下流側であって排気ダクト８４の背面側に配置される温度センサによって検出することで温度検出精度を向上させる。【選択図】図１４
2016062070.tif 000002
【特許請求の範囲】
【請求項１】
画像形成装置本体の内部に配置され、温度を検出する対象となる温度検出対象と、
前記温度検出対象を通過する空気流を形成する送風手段と、
前記送風手段によって形成される空気流が通過する位置であって前記温度検出対象の下流側に配置される温度検出手段と
を備える画像形成装置。
【請求項２】
前記温度検出対象が複数の画像形成部であり、
前記温度検出手段は、前記複数の画像形成部を通過する空気流における前記複数の画像形成部よりも下流側であって、前記複数の画像形成部以外の熱源を通過した空気流が合流する合流位置よりも上流側に配置されることを特徴とする請求項１に記載の画像形成装置。
【請求項３】
前記温度検出手段は、前記温度検出対象を通過する空気流に含まれる異物が当該温度検出手段に付着するのを防止する壁を備えていることを特徴とする請求項１又は２に記載の画像形成装置。
【発明の詳細な説明】
【技術分野】
【０００１】
この発明は、画像形成装置に関する。
【背景技術】
【０００２】
従来、画像形成装置としては、機内の温度を温度検出手段により検出して当該画像形成装置の動作を制御するように構成したものがある。かかる画像形成装置の温度検出に関する技術としては、例えば、特許文献１等に開示されたものが既に提案されている。
【０００３】
特許文献１は、画像形成装置内の一の温度および（または）湿度を検出する環境センサを用い、新たな環境センサを設置するコストを発生させること無く、過度な温度上昇により悪影響が発生する画像形成装置内部の複数個所の温度を制御する方法を提供するため、転写部材付近の温度及び湿度のうち少なくとも温度を検出する検出器と、当該検出手段の検出結果に基づき適正な転写電圧を決定して、当該転写電圧が印加された転写部材により像担持体上のトナー像を、別の像担持体もしくは記録シート上に転写する転写部を有する画像形成装置であって、前記検出器で検出された温度に基づき、前記転写部以外の、温度管理が必要な温度制御対象部位における温度を推測する制御対象温度推測手段と、前記推測された温度に基づき、当該温度制御対象部位において温度が所定の閾値以上になるのを抑制する昇温抑制手段とを備えるように構成したものである。
【先行技術文献】
【特許文献】
【０００４】
【特許文献１】特開２０１０−００２７５２号公報
【発明の概要】
【発明が解決しようとする課題】
【０００５】
この発明が解決しようとする課題は、温度検出対象に対応した位置に１又は複数の温度検出手段を配置した場合に比較して、温度検出対象の温度検出精度を向上させることにある。
【課題を解決するための手段】
【０００６】
請求項１に記載された発明は、画像形成装置本体の内部に配置され、温度を検出する対象となる温度検出対象と、
前記温度検出対象を通過する空気流を形成する送風手段と、
前記送風手段によって形成される空気流が通過する位置であって前記温度検出対象の下流側に配置される温度検出手段と
を備える画像形成装置である。
【０００７】
請求項２に記載された発明は、前記温度検出対象が複数の画像形成部であり、
前記温度検出手段は、前記複数の画像形成部を通過する空気流における前記複数の画像形成部よりも下流側であって、前記複数の画像形成部以外の熱源を通過した空気流が合流する合流位置よりも上流側に配置されることを特徴とする請求項１に記載の画像形成装置である。
【０００８】
請求項３に記載された発明は、前記温度検出手段は、前記温度検出対象を通過する空気流に含まれる異物が当該温度検出手段に付着するのを防止する壁を備えていることを特徴とする請求項１又は２に記載の画像形成装置である。
【発明の効果】
【０００９】
請求項１に記載された発明によれば、温度検出対象に対応した位置に１又は複数の温度検出手段を配置した場合に比較して、温度検出対象の温度検出精度を向上させることができる。
【００１０】
請求項２に記載された発明によれば、複数の画像形成部以外の熱源を通過した空気流が合流する合流位置よりも下流側に温度検出手段を配置した場合に比較して、熱源の影響を回避することができる。
【００１１】
請求項３に記載された発明によれば、壁を設けない場合に比較して温度検出手段に異物が付着して検出精度が低下するのを抑制することができる。
【図面の簡単な説明】
【００１２】
【図１】この発明の実施の形態１に係る画像形成装置を示す構成図である。
【図２】この発明の実施の形態１に係る画像形成装置の画像形成部を示す構成図である。
【図３】露光装置を示す断面構成図である。
【図４】露光装置の要部を示す平面構成図である。
【図５】露光装置を示す斜視構成図である。
【図６】画像形成装置を示す構成図である。
【図７】暗藍部材を示す斜視構成図である。
【図８】画像形成装置を示す概略構成図である。
【図９】分岐ダクトを示す斜視構成図である。
【図１０】温度センサの取付状態を示す斜視構成図である。
【図１１】温度センサの取付状態を示す斜視構成図である。
【図１２】温度センサの取付状態を示す正面構成図である。
【図１３】画像形成装置の制御回路を示すブロック図である。
【図１４】画像形成装置の内部の空気の流れを示す構成図である。
【図１５】画像形成装置の内部の空気の流れを示す斜視構成図である。
【図１６】画像形成装置の内部の空気の流れを示す構成図である。
【図１７】温度センサの検出温度を示すグラフである。
【発明を実施するための形態】
【００１３】
以下、この発明を実施するための実施の形態（単に「実施の形態」という）について添付の図面を参照しながら説明する。
【００１４】
図１及び図２は、実施の形態１に係る画像形成装置を示すものである。図１はその画像形成装置の全体の概要を示し、図２はその画像形成装置における要部（作像装置など）を拡大して示している。
【００１５】
＜画像形成装置の全体の構成＞
実施の形態１に係る画像形成装置１は、例えばカラープリンタとして構成されたものである。この画像形成装置１は、現像剤４を構成するトナーで現像されるトナー像を形成する複数の作像装置１０と、各作像装置１０で形成されたトナー像をそれぞれ保持して最終的に記録媒体の一例としての記録用紙５に二次転写する二次転写位置Ｔ２まで搬送する中間転写装置２０と、中間転写装置２０の二次転写位置Ｔ２に供給すべき所要の記録用紙５を収容して搬送する給紙装置５０と、中間転写装置２０で二次転写された記録用紙５上のトナー像を定着させる定着装置４０等を備えている。
【００１６】
画像形成装置１の本体１ａは支持構造部材、外装カバー等で形成されている。また、図中の二点鎖線は、本体１ａの内部において記録用紙５が搬送される主な搬送経路を示す。
【００１７】
作像装置１０は、イエロー（Ｙ），マゼンタ（Ｍ），シアン（Ｃ）及びブラック（Ｋ）の４色のトナー像をそれぞれ専用に形成する４つの作像装置１０Ｙ，１０Ｍ，１０Ｃ，１０Ｋで構成されている。これらの４つの作像装置１０（Ｙ，Ｍ，Ｃ，Ｋ）は、本体１ａの内部空間において水平方向に対して傾斜した状態、図示の実施形態ではイエロー（Ｙ）の作像装置１０Ｙが鉛直方向に沿った相対的に最も上方に位置し、ブラック（Ｋ）の作像装置１０Ｋが相対的に最も下方に位置するよう１列に並べた状態で配置されている。
【００１８】
各作像装置１０（Ｙ，Ｍ，Ｃ，Ｋ）は、図１や図２に示されるように、回転する像保持体の一例としての感光体ドラム１１を備えており、この感光体ドラム１１の周囲に、次のような各装置が主に配置されている。主な装置とは、感光体ドラム１１の像形成が可能な周面（像保持面)を所要の電位に帯電させる帯電装置１２と、感光体ドラム１１の帯電された周面に画像の情報（信号）に基づく光を照射して電位差のある（各色用の）静電潜像を形成する露光手段の一例としての露光装置１３と、その静電潜像を対応する色（Ｙ，Ｍ，Ｃ，Ｋ）の現像剤４のトナーで現像してトナー像にする現像手段の一例としての現像装置１４（Ｙ，Ｍ，Ｃ，Ｋ）と、その各トナー像を中間転写装置２０に転写する一次転写装置１５と、一次転写後における感光体ドラム１１の像保持面に残留して付着するトナー等の付着物を取り除いて清掃するドラム清掃装置１６等である。
【００１９】
感光体ドラム１１は、接地処理される円筒状又は円柱状の基材の周面に感光材料からなる光導電性層（感光層）を有する像保持面を形成したものである。この感光体ドラム１１は、図示しない回転駆動装置から動力が伝達されて矢印Ａで示す方向に回転するように支持されている。
【００２０】
帯電装置１２は、感光体ドラム１１に接触した状態で配置される帯電ロール等の接触型の帯電装置で構成される。なお、帯電装置１２は、帯電ロールの周面を清掃するロール状の清掃部材１２１を備えている。
【００２１】
露光装置１３は、画像形成装置１に入力される画像の情報に応じて構成される光を、帯電された後の感光体ドラム１１の周面に対して照射して静電潜像を形成するものである。露光装置１３には、潜像形成時になると画像形成装置１に任意の手段で入力される画像の情報（信号）が送信される。
【００２２】
露光装置１３は、感光体ドラム１１の軸方向に沿って配列された複数の発光素子としてのＬＥＤにより感光体ドラム１１に光を照射して静電潜像を形成するＬＥＤプリントヘッドからなるものである。
【００２３】
このＬＥＤプリントヘッド１３は、図３に示されるように、ＬＥＤ回路基板１３１と、ＬＥＤ回路基板１３１と対向するように配置されるレンズアレイ１３２と、ＬＥＤ回路基板１３１とレンズアレイ１３２とを保持する保持体としてのホルダ１３３と、ホルダ１３３の外周に配置された筐体の一例としてのハウジング１３４とを備えている。ＬＥＤ回路基板１３１は、図４に示されるように、長尺の平板状に形成されており、ＬＥＤ回路基板１３１の上面には、複数（具体的には２０個）のＬＥＤアレイ１３５がＬＥＤ回路基板１３１の長手方向に沿って千鳥状に配置されている。各ＬＥＤアレイ１３５には、ＬＥＤからなる複数（具体的には２５６個）の発光素子が長手方向に沿って直線状に配列されている。
【００２４】
また、ＬＥＤ回路基板１３１には、複数のＬＥＤアレイ１３５を画像情報に応じて発光させるための駆動回路１３６と、画像データを記憶する記憶素子１３７と、複数のＬＥＤアレイ１３５に通電する電源回路１３８とが、ＬＥＤアレイ１３５の一端部に設けられている。さらに、ＬＥＤ回路基板１３１には、制御部から画像データや制御信号が送られるワイヤーハーネス１３９が接続されている。
【００２５】
露光装置１３のハウジング１３４は、板金等の剛性を有する材料からなり、左右の両側壁１３４ａ，１３４ｂと底壁１３４ｃとを備えた感光体ドラム１１側に位置する上端面が開口された断面矩形の枠体状に形成されている。このハウジング１３４には、ＬＥＤ回路基板１３１とレンズアレイ１３２とを保持したホルダ１３３の長手方向に沿った両端部がネジ止め等の手段によって固定した状態で取り付けられている。また、ハウジング１３４には、図５に示されるように、その長手方向に沿った中間部よりも背面側に画像形成装置１の本体１ａに設けられる送風口から当該ハウジング１３４の内部に空気流を導入する導入口１３４ｄが、一方の側壁１３４ｂから底壁１３４ｃにわたり矩形状に開口されている。この導入口１３４ｄは、ＬＥＤ回路基板１３１に接続されるワイヤーハーネス１３９を挿入するための挿入口を兼ねている。
【００２６】
さらに、露光装置１３のハウジング１３４の底壁１３４ｃには、当該露光装置１３を案内するガイドピン１３４ｅが下向きに突出した状態で設けられているとともに、露光装置１３を画像形成装置１の本体１ａに位置決め固定するための位置決め部材１３４ｆが側面略Ｌ字形状に折り曲げた状態で一体的に形成されている。
【００２７】
なお、図５中、符号１３０は露光装置１３を画像形成装置本体１ａの予め定められた位置に位置決め固定するための固定部材を示している。この固定部材１３０は、露光装置１３に装着されている。
【００２８】
このように、露光装置１３として可動部を持たないＬＥＤプリントヘッド１３を用いることで、レーザ光を回転するポリゴンミラーで感光体への軸方向の走査を繰り返すレーザ方式と比較して露光装置１３を小型化することができる。これにより、露光装置１３を画像形成装置本体１ａに対して着脱自在なユニットとして構成することができる。なお、露光装置１３は、露光装置単独でユニット化しても良いが、他の現像装置１４や帯電装置１２等と共にユニット化しても良い。
【００２９】
現像装置１４（Ｙ，Ｍ，Ｃ，Ｋ）はいずれも、図２に示されるように、開口部と現像剤４の収容室が形成された筐体１４０の内部に、現像剤４を保持して感光体ドラム１１と向き合う現像領域まで搬送する現像ロール１４１と、現像剤４を撹拌しながら現像ロール１４１を通過させるよう搬送するスクリューオーガー等の撹拌搬送部材１４２，１４３と、現像ロール１４１に保持される現像剤の量（層厚）を規制する層厚規制部材１４４などを配置して構成されたものである。この現像装置１４には、その現像ロール１４１と感光体ドラム１１の間に現像用電圧が図示しない電源装置から供給される。また、現像ロール１４１や撹拌搬送部材１４２，１４３は、図示しない回転駆動装置からの動力が伝達されて所要の方向に回転する。さらに、上記４色の現像剤４（Ｙ，Ｍ，Ｃ，Ｋ）としては、非磁性トナーと磁性キャリアを含む二成分現像剤が使用される。なお、図１中、符号１４５Ｙ，１４５Ｍ，１４５Ｃ，１４５Ｋは、現像装置１４（Ｙ，Ｍ，Ｃ，Ｋ）に供給する対応する色のトナーを少なくとも含む現像剤を収容したトナーカートリッジをそれぞれ示している。
【００３０】
一次転写装置１５は、一次転写位置Ｔ１において感光体ドラム１１の周面に中間転写ベルト２１を介して接触し回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００３１】
ドラム清掃装置１６は、図２に示されるように、容器状の本体１６０の内部に配置されて残留トナー等の付着物を取り除いて清掃する清掃板１６１と、清掃板１６１で取り除いたトナー等の付着物を回収して図示しない回収システムに送り出すよう搬送するスクリューオーガー等の送出部材１６２などで構成されている。清掃板１６１としては、ゴム等の材料からなる板状の部材（例えばブレード）が使用される。
【００３２】
中間転写装置２０は、図１に示されるように、各作像装置１０（Ｙ，Ｍ，Ｃ，Ｋ）の上方の位置に存在するよう配置される。この中間転写装置２０は、感光体ドラム１１と一次転写装置１５（一次転写ロール）の間となる一次転写位置Ｔ１を通過しながら矢印Ｂで示す方向に循環移動する中間転写ベルト２１と、中間転写ベルト２１をその内周から所望の状態に保持して循環移動自在に支持する複数のベルト支持ロール２２〜２５と、ベルト支持ロール２３に支持されている中間転写ベルト２１の外周面（像保持面）側に配置されて中間転写ベルト２１上のトナー像を記録用紙５に二次転写させる二次転写装置３０と、二次転写装置３０を通過した後に中間転写ベルト２１の外周面に残留して付着するトナー、紙粉等の付着物を取り除いて清掃するベルト清掃装置２６とで主に構成されている。
【００３３】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は駆動ロールとして構成され、ベルト支持ロール２５は中間転写ベルト２１の走行位置などを保持する従動ロールとして構成され、ベルト支持ロール２４は張力付与ロールとして構成され、ベルト支持ロール２３は二次転写のバックアップロールとして構成されている。
【００３４】
二次転写装置３０は、図１に示されるように、中間転写装置２０におけるベルト支持ロール２３に支持されている中間転写ベルト２１の外周面部分である二次転写位置Ｔ２において回転する二次転写ロールとして構成されている。また、二次転写ロール３０又は中間転写装置２０の支持ロール２３には、トナーの帯電極性と逆極性又は同極性を示す直流の電圧が二次転写用電圧として供給される。
【００３５】
定着装置４０は、図１に示されるように、表面温度が予め定められた温度に保持されるよう加熱手段（熱源）によって加熱されるロール形態又はベルト形態の加熱用回転体４１と、この加熱用回転体４１に所要の圧力で接触して回転するロール形態又はベルト形態の加圧用回転体４２などを配置して構成されたものである。この定着装置４０では、加熱用回転体４１と加圧用回転体４２が接触する接触部が所要の定着処理（加熱及び加圧）を行う定着処理部となる。
【００３６】
給紙装置５０は、図１に示されるように、複数の作像装置１０（Ｙ，Ｍ，Ｃ，Ｋ）の下方の位置に存在するように配置される。この給紙装置５０は、所望のサイズ、種類等の記録用紙５を積載した状態で収容する単数（又は複数）の用紙収容体５１と、用紙収容体５１から記録用紙５を１枚ずつ送り出す送出装置５２とで主に構成されている。用紙収容体５１は、例えば、画像形成装置本体１ａの正面（使用者が操作時に向き合う側面）側に引き出すことができるように取り付けられている。
【００３７】
給紙装置５０と二次転写装置３０との間には、給紙装置５０から送り出される記録用紙５を二次転写位置Ｔ２まで搬送する単数（又は複数）の用紙搬送ロール対５３や図示しない搬送ガイド材で構成される給紙搬送路５４が設けられている。給紙搬送路５４において二次転写位置Ｔ２の直前の位置に配置される用紙搬送ロール対５３は、例えば記録用紙５の搬送時期を調整するロール（レジストロール）として構成されている。
【００３８】
定着装置４０の下流側（上方）には、定着装置４０によりトナー像が定着された記録用紙５を、本体１ａの上部に配置された用紙排出部５４に排出するための用紙排出ロール５５を備えた用紙排出搬送路５６が設けられている。
【００３９】
＜画像形成装置の基本的な動作＞
以下、画像形成装置１による基本的な画像形成動作について説明する。
【００４０】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を説明する。
【００４１】
画像形成装置１は、画像形成動作（プリント）の要求の指令情報を受けると、４つの作像装置１０（Ｙ，Ｍ，Ｃ，Ｋ）、中間転写装置２０、二次転写装置３０、定着装置４０等が始動する。
【００４２】
そして、各作像装置１０（Ｙ，Ｍ，Ｃ，Ｋ）においては、まず各感光体ドラム１１が矢印Ａで示す方向に回転し、各帯電装置１２が各感光体ドラム１１の表面を所要の極性（実施の形態１ではマイナス極性）及び電位に帯電させる。続いて、露光装置１３が、帯電後の感光体ドラム１１の表面に対し、画像形成装置１に入力される画像の情報を各色成分（Ｙ，Ｍ，Ｃ，Ｋ）に変換して得られる画像の信号に基づいて発光される光を照射し、その表面に所要の電位差で構成される各色成分の静電潜像をそれぞれ形成する。
【００４３】
続いて、各現像装置１４（Ｙ，Ｍ，Ｃ，Ｋ）が、感光体ドラム１１に形成された各色成分の静電潜像に対し、所要の極性（マイナス極性）に帯電された対応する色（Ｙ，Ｍ，Ｃ，Ｋ）のトナーをそれぞれ供給して静電的に付着させて現像を行う。この現像により、各感光体ドラム１１に形成された各色成分の静電潜像は、その対応する色のトナーでそれぞれ現像された４色（Ｙ，Ｍ，Ｃ，Ｋ）のトナー像として顕像化される。
【００４４】
続いて、各作像装置１０（Ｙ，Ｍ，Ｃ，Ｋ）の感光体ドラム１１上に形成された各色のトナー像が一次転写位置Ｔ１まで搬送されると、一次転写装置１５が、その各色のトナー像を中間転写装置２０の矢印Ｂで示す方向に回転する中間転写ベルト２１に対して順番に重ね合わせるような状態で一次転写させる。
【００４５】
また、一次転写が終了した各作像装置１０では、ドラム清掃装置２６が付着物を掻き取るように除去して感光体ドラム１１の表面を清掃する。これにより、各作像装置１０は次の作像動作が可能な状態にされる。
【００４６】
続いて、中間転写装置２０では、中間転写ベルト２１の回転により一次転写されたトナー像を保持して二次転写位置Ｔ２まで搬送する。一方、給紙装置５０では、作像動作に合わせて所要の記録用紙５を給紙搬送路５４に送り出す。給紙搬送路５４では、レジストロールとしての用紙搬送ロール対５３が記録用紙５を転写時期に合わせて二次転写位置Ｔ２に送り出して供給する。
【００４７】
二次転写位置Ｔ２においては、二次転写ロール３０が、中間転写ベルト２１上のトナー像を記録用紙５に一括して二次転写させる。また、二次転写が終了した後の中間転写装置２０では、ベルト清掃装置２６が、二次転写後の中間転写ベルト２１の表面に残留したトナー等の付着物を取り除いて清掃する。
【００４８】
続いて、トナー像が二次転写された記録用紙５は、中間転写ベルト２１と二次転写ロール３０から剥離された後に定着装置４０まで搬送される。定着装置４０では、回転する加熱用回転体４１と加圧用回転体４２との間の接触部に二次転写後の記録用紙５を導入して通過させることにより、必要な定着処理（加熱及び加圧）をして未定着のトナー像を記録用紙５に定着させる。定着が終了した後の記録用紙５は、用紙排出搬送路５６を介して用紙排出ロール５５により、例えば画像形成装置１の上部に設けられた用紙排出部５４に排出される。
【００４９】
以上の動作により、４色のトナー像を組み合わせて形成されるフルカラー画像が形成された記録用紙５が出力される。
【００５０】
＜画像形成装置の特徴部分の構成＞
図２及び図６はこの発明の実施の形態１に係る画像形成装置を示す構成図である。図６は画像形成装置の全体概要を特徴部分と共に示し、図２は画像形成装置における要部を拡大して示している。
【００５１】
この実施の形態に係る画像形成装置１は、イエロー（Ｙ），マゼンタ（Ｍ），シアン（Ｃ）及びブラック（Ｋ）の４色の各作像装置１０（Ｙ，Ｍ，Ｃ，Ｋ）が、感光体ドラム１１、帯電装置１２及びクリーニング装置１６を一体的に有する感光体ユニット６１と、現像装置１４から構成される現像ユニット６２と、露光装置１３から構成される露光ユニット６３とを備えている。感光体ユニット６１、現像ユニット６２及び露光ユニット６３は、それぞれ画像形成装置１の本体１ａに対して個別に着脱自在となっている。なお、この実施の形態では、露光装置１３を当該露光装置１３単独で露光ユニット６３として構成した場合について説明したが、露光装置１３は、他の感光体ドラム１１や現像装置１４等と一体的にユニット化しても良い。
【００５２】
画像形成装置１は、イエロー（Ｙ），マゼンタ（Ｍ），シアン（Ｃ）及びブラック（Ｋ）の作像装置１０（Ｙ，Ｍ，Ｃ，Ｋ）の下方に存在するように配置され、各作像装置１０（Ｙ，Ｍ，Ｃ，Ｋ）の感光体ユニット６１、現像ユニット６２及び露光ユニット６３を感光体ドラム１１の軸方向に沿って移動自在に案内する案内部材７０を備えている。案内部材７０は、画像形成装置本体１ａの内部において、イエロー（Ｙ），マゼンタ（Ｍ），シアン（Ｃ）及びブラック（Ｋ）の作像装置１０（Ｙ，Ｍ，Ｃ，Ｋ）と給紙装置５０との間を仕切る仕切り板９０の上方に配置されている。案内部材７０は、イエロー（Ｙ），マゼンタ（Ｍ），シアン（Ｃ）及びブラック（Ｋ）の各作像装置１０（Ｙ，Ｍ，Ｃ，Ｋ）にそれぞれ対応したガイド部７１（Ｙ，Ｍ，Ｃ，Ｋ）を有している。これらのガイド部７１（Ｙ，Ｍ，Ｃ，Ｋ）は、イエロー（Ｙ）の作像装置１０Ｙに対応したガイド部７１Ｙが鉛直方向に沿った最も上方に、ブラック（Ｋ）の作像装置１０Ｋのガイド部７１Ｋが最も下方に位置するよう配置されている。
【００５３】
各ガイド部７１（Ｙ，Ｍ，Ｃ，Ｋ）は、基本的に同様に構成されており、図２に示されるように、感光体ユニット６１を案内する感光体用ガイド部７２と、感光体用ガイド部７２よりも鉛直方向に沿った上方に配置され、現像ユニット６２を案内する現像用ガイド部７３と、感光体用ガイド部７２と現像用ガイド部７３との間に配置され、露光ユニット６３を案内する露光用ガイド部７４とをそれぞれ有している。
【００５４】
感光体用ガイド部７２は、感光体ユニット６１の帯電装置１２の下方に配置された平板部７２１と、平板部７２１の中間に設けられた凹部７２２と、平板部７２１の両端から上方へ向けて突出するように設けられた左右の側壁部７２３，７２４と、両側壁部７２３，７２４の上端に互いに対向するよう内側に向けて設けられた左右の凸状部７２５，７２６とから構成されている。
【００５５】
感光体ユニット６１は、帯電装置１２の筐体１２２の下端面に下方に向けて延在するように設けられた複数本（図示例では、３本）の支持脚６１１，６１２，６１３を備えている。これらの支持脚６１１，６１２，６１３のうち、外側に位置する支持脚６１１，６１３は、その下端部が感光体用ガイド部７２の平板部７２１及び左右の凸状部７２５，７２６により支持されると共に、その中間部に位置する支持脚６１２は、その下端部が感光体用ガイド部７２の凹部７２２により感光体ドラム１１の軸方向に沿って案内されるよう配置されている。
【００５６】
現像用ガイド部７３は、現像ユニット６２の現像装置１４の下方に配置された平板部７３１と、平板部７３１の一端部（図示例では、左端部）に設けられた凹部７３２とから構成されている。現像ユニット６２は、現像装置１４の筐体１４０の下端面に下方に向けて延在するように設けられた複数本（図示例では、８本）の支持脚６２１〜６２８と、当該支持脚６２１〜６２８よりも下方に突出した状態で設けられた凸条部６２９とを備えている。これらの支持脚６２１〜６２８は、その下端部が現像用ガイド部７３の平板部７３１により支持されると共に、凸条部６２９が現像用ガイド部７３の凹部７３２に挿入された状態で案内されるよう構成されている。
【００５７】
露光用ガイド部７４は、図２に示されるように、感光体ドラム１１側に位置する上端面が開口した断面凹形状に形成されている。この露光用ガイド部７４は、図７に示されるように、感光体ドラム１１の軸方向に沿った画像形成装置本体１ａの前面（使用者が操作時に向き合う側面）側の端部から中間部にわたり設けられた第１のガイド部７４ａと、画像形成装置本体１ａの中間部から背面（使用者が操作時に向き合う側面と反対の側面）側の端部にわたり設けられた第２のガイド部７４ｂとを備えている。第１のガイド部７４ａは、露光ユニット６３を感光体ドラム１１の軸方向に沿って移動自在に案内するとともに、露光ユニット６３を所望の位置に位置決め固定するためのものである。また、第２のガイド部７４ｂは、露光装置１３のワイヤーハーネス１３９を収容するとともに、露光装置１３及び帯電装置１２と現像装置１４とで囲まれた閉空間に空気流を送るための送風口７４７を形成するためのものである。
【００５８】
第１のガイド部７４ａの背面側端部に位置する底壁７４１は、露光装置１３のハウジング１３４の下端面に設けられた位置決め部材１３４ｆ（図５参照）が挿入される挿入孔７４２を有している。また、第１のガイド部７４ａの底壁７４１には、挿入孔７４２よりも前面側の位置に感光体ドラム１１の軸方向に沿って設けられた凹所７４３が形成されている。この凹所７４３は、露光装置１３のハウジング１３４の下端面に設けられたガイドピン１３４ｅ（図５参照）を収容するためのものである。さらに、露光用ガイド部７４の第１のガイド部７４ａには、図２に示されるように、露光装置１３のハウジング１３４の両側壁１３４ａ，１３４ｂに接触して案内する案内部として機能する両側壁７４４，７４５が設けられている。
【００５９】
一方、露光用ガイド部７４の第２のガイド部７４ｂには、図７に示されるように、その前面側に露光装置１３のワイヤーハーネス１３９を収容する収容室７４６が、第１のガイド部７４ａよりも相対的に深く形成されている。また、露光用ガイド部７４の第２のガイド部７４ｂには、図７及び図８に示されるように、その背面側に送風口７４７が開口されているとともに、仕切り壁７４８ａ，７４８ｂによって仕切られた送風用通路７４９が形成されている。仕切り壁７４８ａ，７４８ｂのうち、背面側に位置する仕切り壁７４８ｂは、第２のガイド部７４ｂの上端部まで達するよう前面側に位置する仕切り壁７４８ａよりも高く設定されており、送風口７４７から送り込まれる空気流が露光装置１３の導入口１３４ｄにより一層効果的に導入されるようになっている。なお、図７中、符号７４０は収容室７４６の背面側の端部に開口され、内部にワイヤーハーネス１３９を通す挿通孔を示している。
【００６０】
また、露光用ガイド部７４の第２のガイド部７４ｂに設けられる送風口７４７は、図６に示されるように、イエロー及びマゼンタの露光用ガイド部７４では、第２のガイド部７４ｂの底壁に開口されており、シアン及びブラックの露光用ガイド部７４では、第２のガイド部７４ｂの底壁及び側壁にわたり開口されている。
【００６１】
画像形成装置１は、露光装置１３を画像形成装置１の本体１ａに装着した際に、露光装置１３の導入口１３４ｄと対応する位置に設けられた送風口７４７から露光装置１３の内部に導入される空気の流れ（以下、「空気流」という。）を形成する空気流形成手段（送風手段）の一例としての送風装置８０を備えている。
【００６２】
この送風装置８０は、図６に示されるように、大別して、吸気手段の一例としての吸気ファン８１と、吸気ファン８１から送られる空気流の向きを上方へと変えることにより各作像装置１０（Ｙ，Ｍ，Ｃ，Ｋ）の下部へと導く偏向ダクト８２と、偏向ダクト８２によって作像装置１０（Ｙ，Ｍ，Ｃ，Ｋ）の下部へと導かれた空気流をイエロー（Ｙ），マゼンタ（Ｍ），シアン（Ｃ）及びブラック（Ｋ）の各作像装置１０（Ｙ，Ｍ，Ｃ，Ｋ）に分岐する分岐部材の一例としての分岐ダクト８３と、ブラックの作像装置１０Ｋの上方に対応した位置から画像形成装置１の筐体１ａ内部の空気を吸引して外部に排出するための排気ダクト８４と、排気ダクト８４から吸い込まれた空気流を画像形成装置１の外部に排出するための排気手段の一例としての排気ファン８５とを備えるよう構成されている。
なお、図６中、符号９１は、中間転写装置２０とトナーカートリッジ１４５Ｙ，１４５Ｍ，１４５Ｃ，１４５Ｋとの間を仕切る仕切り板を示している。
【００６３】
吸気ファン８１は、図６及び図８に示されるように、画像形成装置１の本体１ａの背面側に配置されている。更に説明すると、吸気ファン８１は、給紙装置５０の背面側であってシアン色の作像装置１０Ｃの下方に対応した位置に、ブラックの作像装置１０Ｋ側からマゼンタの作像装置１０Ｍ側へ向けて送風するよう配置されている。吸気ファン８１の出口側には、当該吸気ファン８１によって形成される空気流の向きを画像形成装置筐体１ａの背面側から前面側且つ水平方向から鉛直方向に沿った上方へと変更する偏向ダクト８２が設けられている。偏向ダクト８２の排出口は、仕切り板９０の上面側において、当該仕切り板９０の表面に沿って画像形成装置１の背面側から前面側へ向けて送風可能に開口されている。
【００６４】
仕切り板９０の上面には、偏向ダクト８２によって鉛直方向上方へと向きが変更された空気流を、仕切り板９０の表面に沿ってイエロー、マゼンタ、シアン及びブラックの各作像装置１０（Ｙ，Ｍ，Ｃ，Ｋ）へと分岐して送る分岐ダクト８３が設けられている。分岐ダクト８３は、仕切り板９０と案内部材７０との間に存在するよう配置されている。
【００６５】
図９は画像形成装置１の本体１ａから仕切り板９０を取り除いた状態で案内部材７０及び分岐ダクト８３を裏面側の斜め下方から見た斜視図である。
【００６６】
分岐ダクト８３は、図９に示されるように、その底面が仕切り板９０の上面に接触した状態で配置され、平面略台形状に形成された外周壁８３１〜８３４を備えている。また、分岐ダクト８３には、偏向ダクト８２側の端部に空気流を導入する開口部８３５，８３６が設けられている。分岐ダクト８３の内部は、イエロー、マゼンタ及びシアンのカラー作像装置１０（Ｙ，Ｍ，Ｃ）に吸気流を導くカラー用の流路８３７と、ブラックの作像装置１０Ｋに吸気流を導くブラック用の流路８３８とが分岐壁８３９によって区画されている。分岐ダクト８３は、イエロー及びマゼンタの案内部７１Ｙ，７１Ｍの底壁に設けられた送風口７４７Ｙ，７４７Ｍにそれぞれ接続されている。また、分岐ダクト８３は、シアン及びブラックの案内部７１Ｃ，７１Ｋの側壁及び底壁にわたり設けられた送風口７４７Ｙ，７４７Ｍにそれぞれ接続されている。
なお、図９中、符号１３９は各露光装置１３にそれぞれ接続されるワイヤーケーブルを示している。
【００６７】
また、画像形成装置１の本体１ａの内部には、図６に示されるように、ブラックの作像装置１０Ｋの上方において、各作像装置１０（Ｙ，Ｍ，Ｃ，Ｋ）へと送風された空気流を画像形成装置本体１ａの外部へと排気するための排気ダクト８４が用紙排出部５４の裏面側に位置するように配置されている。排気ダクト８４は、図８に示されるように、感光体ドラム１１の軸方向に沿った中間部から背面側の端部にわたり設けられている。また、排気ダクト８４は、ブラックの作像装置１０Ｋに対応した位置の上方において、定着装置４０側に向けて開口部８４１が位置するよう配置されている。また、排気ダクト８４は、感光体ドラム１１の軸方向に沿った前面側の端部から中間部側に向けて開口幅（開口面積）が徐々に広くなるよう形成されている（図１２参照）。
【００６８】
さらに、排気ダクト８４の基端部８４２（背面側の端部）は、図８に示されるように、画像形成装置１の背面側上部に配置された排気ファン８５にダクト８６に介して接続されている。なお、排気ファン８５には、必要に応じてトナーやオゾン、窒素酸化物等を除去するフィルターが装着される。
【００６９】
なお、図８において、符号９２，９３は、画像形成装置１の内部において当該画像形成装置１の前面側と背面側に配置された前面フレーム及び背面フレームをそれぞれ示している。
【００７０】
ところで、この実施の形態では、イエロー（Ｙ），マゼンタ（Ｍ），シアン（Ｃ）及びブラック（Ｋ）の各作像装置１０（Ｙ，Ｍ，Ｃ，Ｋ）が温度を検出する対象としての温度検出対象となっている。これらイエロー（Ｙ），マゼンタ（Ｍ），シアン（Ｃ）及びブラック（Ｋ）の各作像装置１０（Ｙ，Ｍ，Ｃ，Ｋ）は、感光体ドラム１１の下方に露光装置１３を有しており、露光装置１３は、複数のＬＥＤアレイ１３５を長手方向に沿って配列したＬＥＤ回路基板１３１を備えたＬＥＤプリントヘッドから構成されている。このＬＥＤプリントヘッド１３は、複数のＬＥＤアレイ１３５の発光素子としてのＬＥＤが画像情報に応じて発光するとともに、ＬＥＤアレイ１３５を駆動する駆動回路１３６や電源回路１３８等を備えており、画像形成時に発熱する。また、各作像装置１０（Ｙ，Ｍ，Ｃ，Ｋ）は、感光体ドラム１１や現像装置１４等を駆動する駆動系を画像形成装置本体１ａの背面側に備えており、各作像装置１０（Ｙ，Ｍ，Ｃ，Ｋ）は、画像形成時の駆動系の作動により、特に駆動系の実装密度が高い背面側の温度が上昇する傾向にある。
【００７１】
感光体ドラム１１の周囲に温度が上昇すると、現像装置１４の筐体１４０の内部では、現像ロール１４１の現像剤層厚を規制する層厚規制部材１４４の周囲においてトナーが凝集するトナーブロッキングを発生する虞れがあり、作像装置１０（Ｙ，Ｍ，Ｃ，Ｋ）の周囲の温度を画像形成装置側で取得することが求められている。
【００７２】
また、この実施の形態では、中間転写ベルト２１の二次転写部Ｔ２に配置された二次転写ロール３０が温度を検出する温度検出対象となっている。二次転写部Ｔ２に配置される二次転写ロール３０自体は、画像形成時に発熱を伴うものではないが、二次転写ロール３０は、その材質に起因して温度によって二次転写特性が変化する温度依存性を有している。そのため、二次転写ロール３０の周囲の温度を取得して温度変化に応じて二次転写ロール３０又はベルト支持ロール２３に印加する二次転写電圧を制御することが望ましい。
【００７３】
さらに、この実施の形態では、イエロー（Ｙ），マゼンタ（Ｍ），シアン（Ｃ）及びブラック（Ｋ）の各作像装置１０（Ｙ，Ｍ，Ｃ，Ｋ）において形成されるトナー画像の画像位置（レジストレーション：以下、略して「レジスト」とも言う。）や画像濃度を維持するため、各作像装置１０（Ｙ，Ｍ，Ｃ，Ｋ）においてレジストを制御するためのレジストコントロール用のトナー像並びに画像濃度を制御するためのプロセスコントロール用のトナー像（トナーパッチ）を予め定められたタイムミングで形成し、中間転写ベルト２１上に転写されたレジコントロール用及びプロセスコントロール用のトナー像を、ブラック（Ｋ）の作像装置１０Ｋの下流側に配置された図示しない読取手段で読み取り、露光装置１３による画像露光位置やタイミング、あるいは帯電装置１２の帯電電圧や現像装置１４の現像バイアス等を制御することが行われている。
【００７４】
そして、レジストコントロール用及びプロセスコントロール用のトナー像を形成するタイミングの一例として、画像形成装置本体１ａの内部温度が予め定められた閾値温度に達した場合、あるいは画像形成装置本体１ａの内部温度が予め定められた閾値以上変化した場合に設定されている。
【００７５】
そこで、この実施の形態では、温度検出対象の周囲又は近傍に温度検出手段を直接配置するのではなく、温度検出対象を通過する空気流を形成する送風手段を設け、送風手段によって形成される空気流が通過する位置であって温度検出対象の下流側に温度検出手段を配置するように構成している。また、温度検出対象が複数存在する場合には、送風手段によって形成される空気流が通過する位置であって複数の温度検出対象の下流側であって、且つ温度検出対象以外の発熱を伴う部材からの空気流が合流する合流位置の上流側に温度検出手段を配置するように構成している。
【００７６】
この実施の形態では、図８及び図１０に示されるように、背面フレーム９３の本体内部１ａ側に沿った位置であって、排気ダクト８４の背面側に温度検出手段としての温度センサ９６が配置されている。温度センサ９６は、温度検出対象を通過する空気流に含まれるトナー等の異物が当該温度センサ９６に付着するのを防止する防塵壁９７を備えている。この防塵壁９７の基端部９７ａは、図１２に示されるように、温度センサ９６の外周を囲むように正面矩形の枠体状に形成されている。また、防塵壁９７の先端部（本体内部１ａ側の端部）は、図１０及び図１１に示されるように、その下端面９７ｂ及び一方の側面（吸気口８５１側の面）９７ｃが本体内部１ａ側に向けて正面略Ｌ次形状に突出した状態で設けられている。これら防塵壁９７の基端部９７ａ、下端面９７ｂ及び一方の側面９７ｃは、温度検出対象としてのイエロー（Ｙ），マゼンタ（Ｍ），シアン（Ｃ）及びブラック（Ｋ）の各作像装置１０（Ｙ，Ｍ，Ｃ，Ｋ）を通過した空気流が直接温度センサ９６に当たるのを回避するものである。なお、図１２中、符号９９は温度センサ９６及び湿度センサ９８を装着するソケットをそれぞれ示している。
【００７７】
イエロー（Ｙ），マゼンタ（Ｍ），シアン（Ｃ）及びブラック（Ｋ）の各作像装置１０（Ｙ，Ｍ，Ｃ，Ｋ）を通過した空気流は、画像形成装置１の前面側と背面側に分かれて流れ、画像形成装置１の背面側へと流れた空気流は、図８に示されるように、背面フレーム９３に沿って上方へと移動し、排気ダクト８４の吸気口８４１から吸い込まれる。イエロー（Ｙ），マゼンタ（Ｍ），シアン（Ｃ）及びブラック（Ｋ）の各作像装置１０（Ｙ，Ｍ，Ｃ，Ｋ）を通過し、画像形成装置１の背面側へと流れた空気流は、排気ダクト８４の吸気口８４１から吸い込まれる手前の位置で１つに合流し、温度センサ９６を通過した後、排気ダクト８４の吸気口８４１から吸引される。
【００７８】
また、排気ダクト８４の吸気口８４１は、図６に示されるように、定着装置４０と対向する位置に開口されているため、定着装置４０を通過した空気流は、吸気口８４１より下方の位置へ、つまり温度センサ９４側へ流れることはなく、各作像装置１０（Ｙ，Ｍ，Ｃ，Ｋ）を通過して画像形成装置１の背面側へと流れた空気流は、吸気口８４１の近傍で定着装置４０を通過した空気流と合流する。このように、温度センサ９６は、各作像装置１０（Ｙ，Ｍ，Ｃ，Ｋ）を通過した空気流と定着装置４０を通過した空気流とが合流する合流位置よりも上流側に配置されている。
【００７９】
なお、この実施の形態では、温度センサ９６に隣接して、画像形成装置本体１ａ内の温度と関連を有する湿度を検出する湿度センサ９８が配置されている。
【００８０】
図１３は画像形成装置の制御回路を示すブロック図である。
【００８１】
図において、符号１００は画像形成装置１の制御部を示しており、制御部１００は、制御手段としてのＣＰＵ１０１を備えている。このＣＰＵ１０１は、ＲＯＭ１０２に記憶されたプログラムに基づいてＲＡＭ１０３及び不揮発性メモリ１０４に記憶されたパラメータ等を参照しながら、画像形成装置１の動作を統括的に制御する。尚、不揮発性メモリ１０４には、レジストコントロール用及びプロセスコントロール用のトナー像の画像データが記憶されている。
符号１０５はデータの入出力動作を行う入出力インターフェース（Ｉ／Ｏ）、１０６はバスをそれぞれ示している。
【００８２】
また、図１３中、１１１はユーザーが画像形成装置１を操作するための液晶表示パネル等からなる操作表示部、１１２は図示しない原稿の画像を読み取る画像読取部、１１３は記録用紙等からなる記録媒体に画像を形成する画像形成部、１１４は画像形成部１１３に記録用紙を供給する用紙供給部、１１５は画像形成部１１３から画像が形成された記録用紙を排出する用紙排出部、１１６は送風装置８０の吸気ファン８１及び排気ファン８５を駆動する駆動回路、９６は温度センサ、９８は湿度センサをそれぞれ示している。
【００８３】
＜画像形成装置の特徴部分の動作＞
この実施の形態に係る画像形成装置１では、次のようにして画像形成装置１の露光装置１３等への送風が行われる。
【００８４】
画像形成装置１は、画像形成動作（プリント）の要求の指令情報を受けると、図１０に示されるように、吸気ファン８１及び排気ファン８５が駆動される。その際、画像形成装置１では、画像形成装置１の筐体１ａの内部の温度及び湿度が温度センサ９４及び湿度センサ９６により検出される。
【００８５】
画像形成装置１では、図１４に示されるように、ＣＰＵ１０１により駆動回路１１６を介して吸気ファン８１が駆動されると、外部の空気が画像形成装置１の本体１ａの内部に吸気される。吸気ファン８１によって画像形成装置１の本体１ａの内部へと吸気された空気流２０１は、偏向ダクト８２を介して、各作像装置１０（Ｙ，Ｍ，Ｃ，Ｋ）の下方へと導かれる。各作像装置１０（Ｙ，Ｍ，Ｃ，Ｋ）の下方へと導かれた空気流２０２は、分岐ダクト８３により各作像装置１０（Ｙ，Ｍ，Ｃ，Ｋ）へと分岐されて、各作像装置１０（Ｙ，Ｍ，Ｃ，Ｋ）の露光装置１３に対応した案内部材７０の各ガイド部７１（Ｙ，Ｍ，Ｃ，Ｋ）へと送られる。
【００８６】
案内部材７０の各ガイド部７１（Ｙ，Ｍ，Ｃ，Ｋ）には、図８に示されるように、各作像装置１０（Ｙ，Ｍ，Ｃ，Ｋ）の露光装置１３のハウジング１３４に設けられた導入口１３４ｄに対応した位置に送風口７４７（Ｙ，Ｍ，Ｃ，Ｋ）が開口されている。そのため、各作像装置１０（Ｙ，Ｍ，Ｃ，Ｋ）に対応したガイド部７１（Ｙ，Ｍ，Ｃ，Ｋ）へと送られた空気流２０３は、図８に示されるように、その一部が送風口７４７（Ｙ，Ｍ，Ｃ，Ｋ）から導入口１３４ｄを介して露光装置１３のハウジング１３４の内部へと導かれる。露光装置１３のハウジング１３４の内部へと導入された空気流２０４は、図１５に示されるように、ハウジング１３４の長手方向に沿って画像形成装置１の前面側及び背面側へと移動する間に、露光装置１３のＬＥＤ回路基板１３１を冷却する。また、露光装置１３のハウジング１３４とガイド部７１（Ｙ，Ｍ，Ｃ，Ｋ）との間に導入された空気流２０５は、図１４に示されるように、感光体ドラム１１の回転方向に沿った上流側及び下流側へと送られ、帯電装置１２と現像装置１４とで囲まれた閉空間を感光体ドラム１１の軸方向に沿った背面側及び前面側へと移動する。
【００８７】
その後、露光装置１３の内部及びその外周部、更には帯電装置１２と現像装置１４で囲まれた閉空間を感光体ドラム１１の軸方向に沿って前面側及び背面側に移動した空気流２０６は、図１４及び図１６に示されるように、各作像装置１０（Ｙ，Ｍ，Ｃ，Ｋ）及び中間転写装置２０と背面側及び前面側に設けられたフレーム９２，９３との間に形成された間隙９４，９５を介して上方へと移動する。
【００８８】
この上方へと移動した空気流２０７は、ブラックの作像装置１０Ｋの上方に配置された排気ダクト８４の吸気口８４１から吸引され、図１０に示されるように、ダクト８６及び排気ファン８５を介して画像形成装置１の本体１ａの外部に排出される。
【００８９】
このように、上記実施の形態では、図１４及び図１５に示されるように、帯電装置１２及び現像装置１４で囲まれた閉空間に配置され、ハウジング１３４の内部にＬＥＤ回路基板１３１を有する露光装置１３を、当該露光装置１３のハウジング１３４の側面から底面にわたり形成された導入口１３４ｄを介して、導入口１３４ｄと対応する位置に開口された送風口７４７から内部に送り込まれる空気流によって直接冷却することができ、露光装置１３を効率良く冷却することが可能となる。
【００９０】
また、送風口７４７から送り込まれた空気流は、案内部材７０の各ガイド部７１（Ｙ，Ｍ，Ｃ，Ｋ）に沿って画像形成装置１の本体１ａの前面側及び背面側に沿って流れるため、露光装置１３と隣接する帯電装置１２及び現像装置１４との間に形成される閉空間を冷却することが可能となる。そのため、露光装置１３と隣接する帯電装置の帯電ロール１２の温度が上昇し、帯電ロール１２の外径変動等に伴って感光体ドラム１１の帯電不良が発生するのを防止乃至抑制することができる。また、現像装置１４の露光装置１３側に位置する層厚規制部材１４４近傍の温度が上昇し、現像装置１４の内部においてトナーのブロッキング等が発生するのを防止乃至抑制することができる。
【００９１】
また、イエロー（Ｙ），マゼンタ（Ｍ），シアン（Ｃ）及びブラック（Ｋ）の各作像装置１０（Ｙ，Ｍ，Ｃ，Ｋ）を通過し、画像形成装置１の背面側へと流れた空気流は、図１６に示されるように、略一つの流れに合流された後、温度センサ９６が配置された位置を通過する。そのため、各作像装置１０（Ｙ，Ｍ，Ｃ，Ｋ）を通過する間に露光装置１３等を冷却し、且つ背面フレーム９３の表面に沿って移動する間に画像形成装置本体１ａの背面側に配置された駆動系からの熱を吸収した空気流２０６の温度が温度センサ９６によって検出される。その際、イエロー（Ｙ），マゼンタ（Ｍ），シアン（Ｃ）及びブラック（Ｋ）の各作像装置１０（Ｙ，Ｍ，Ｃ，Ｋ）、及び画像形成装置本体１ａの背面フレーム９３の表面に沿って流れる空気流２０６は、連続した空気の流れであって、しかも各作像装置１０（Ｙ，Ｍ，Ｃ，Ｋ）等の熱を吸収して温度が上昇した状態となっている。
【００９２】
また、各作像装置１０（Ｙ，Ｍ，Ｃ，Ｋ）を通過して画像形成装置１の背面側へと流れた空気流は、略層流の状態となって移動しており、温度センサ９６に到達した時点で、流れに沿った方向の温度が略均一となっている。
【００９３】
そのため、各作像装置１０（Ｙ，Ｍ，Ｃ，Ｋ）を通過する空気流の流れに沿って当該各作像装置１０（Ｙ，Ｍ，Ｃ，Ｋ）の下流側に配置された温度センサ９６によって、図１７に示すように、各作像装置１０（Ｙ，Ｍ，Ｃ，Ｋ）の周囲の温度を当該各作像装置１０（Ｙ，Ｍ，Ｃ，Ｋ）の周囲の温度と高い相関関係をもって精度良く検出することが可能となる。
【００９４】
また、温度とともに湿度センサ９８によって湿度を同時に検出することで、互いに相互に関連性が高い温度及び湿度の双方から画像形成装置本体１ａ内の環境条件を感知することが可能となる。
【００９５】
このように、各作像装置１０（Ｙ，Ｍ，Ｃ，Ｋ）の周囲の温度を精度良く検出することが可能となるため、温度センサ９６の検出値に基づいてＣＰＵ１０１がレジストコントロール及びプロセスコントロールを行うことができ、画質を良好に維持することができるとともに、画像形成装置本体１ａ内の温度が予め定められた温度以上に達したか否かを精度良く検出することができ、レジストコントロール及びプロセスコントロールを不必要に多く実行することを回避することができ、画像形成装置１の実動時間を向上させることが可能となる。
【００９６】
なお、前記実施の形態では、温度センサ９６を排気ダクト８４の背面側に配置した場合について説明したが、これに限定されるものではなく、送風手段によって形成される空気流が通過する位置であって温度検出対象の下流側の位置であれば、他の位置、例えば、排気ダクト９６よりも上流側の位置に配置しても良い。
【００９７】
また、画像形成装置１の背面側と前面側にそれぞれ温度センサを配置し、双方の温度検出値の平均値や高い方の値を求めるように構成しても良い。
【符号の説明】
【００９８】
１…画像形成装置、１ａ…画像形成装置本体、１０（Ｙ，Ｍ，Ｃ，Ｋ）…作像装置、１１１…感光体ドラム、１３…露光装置、１３４…ハウジング、１３４ｄ…導入口、７０…案内部材、７１（Ｙ，Ｍ，Ｃ，Ｋ）…ガイド部、７４７…送風口、８０…送風装置、８１…吸気ファン、９６…温度センサ。
【図１】
2016062070.tif 000003
【図２】
2016062070.tif 000004
【図３】
2016062070.tif 000005
【図４】
2016062070.tif 000006
【図５】
2016062070.tif 000007
【図６】
2016062070.tif 000008
【図７】
2016062070.tif 000009
【図８】
2016062070.tif 000010
【図９】
2016062070.tif 000011
【図１０】
2016062070.tif 000012
【図１１】
2016062070.tif 000013
【図１２】
2016062070.tif 000014
【図１３】
2016062070.tif 000015
【図１４】
2016062070.tif 000016
【図１５】
2016062070.tif 000017
【図１６】
2016062070.tif 000018
【図１７】
2016062070.tif 000019